(57)【特許請求の範囲】
【請求項１】
制御の対象であるランプと、
該ランプの初期予熱、瞬間放電、放電保持及びディミングの各周期をフィードバック制御するために直流リンク電圧と消費電流とを出力する電子式安定器と、
該電子式安定器から出力された前記直流リンク電圧と前記消費電流との積に比例する値を出力する掛算器と、
前記ランプの各周期に応じて時間に比例する信号を出力する時間制御器と、
該時間制御器の信号を受けて、前記ランプの初期予熱周期と放電周期に必要な信号を出力するソフトスタート制御器と、
前記時間制御器の信号を受けて、周囲環境の明るさに応じて前記ランプの明るさを自動調節するための信号を出力するディミング制御器と、
前記掛算器と前記ソフトスタート制御器と前記ディミング制御器の出力信号を加算又は減算して出力する第１加減器と、
フィードバック制御において前記電子式安定器の入力電力を決定する基準になる電圧を出力する基準電圧発生部と、
前記第１加減器から出力された後、抵抗ブロックを経て入力される信号と前記基準電圧発生部の出力信号とを加算又は減算して出力する第２加減器と、
該第２加減器の出力信号を増幅して出力するエラーアンプと、
該エラーアンプから出力された信号と前記電子式安定器から出力されて抵抗ブロックを経たフィードバック信号を入力として受けて、前記ランプを制御するための周波数を決定して前記電子式安定器に出力する制御ブロックと
からなることを特徴とする電子式安定器の連続フィードバック制御システム。
【請求項２】
前記制御ブロックは、
前記エラーアンプから出力された電流（Ｉin）を積分器（１／ＳＣ）で積分して電圧に変えた信号を入力として受けて、電流に変換して出力するＶＣＣＳ（５１）と、
該ＶＣＣＳ（５１）の出力信号（ｉ１）と、基準電流（Ｉref）と、前記電子式安定器から出力されて抵抗ブロック（１／ＲＬ）を経た信号（Ｉｅ）を加算又は減算して出力する第３加減器（５２）と、
該第３加減器（５２）から入力された信号（ｉｔ）が内部と連結されたコンデンサ（Ｃｔ）にチャージされて前記電子式安定器に出力する制御周波数（ｆ１）を決定するオシレータ／出力ドライバ（５３）と
からなることを特徴とする請求項１に記載の電子式安定器の連続フィードバック制御システム。
【請求項３】
前記ディミング制御器は、
ベース端子に前記時間制御器の出力（Ｖcs）が入力され、コレクタ端子に第３  電流（ｉｄ３）が入力される第１トランジスタ（Ｑ１）と、
該第１トランジスタ（Ｑ１）のエミッタ端子にその一端が連結された第１抵抗（Ｒ１）と、
コレクタ端子が前記第１抵抗（Ｒ１）の他端に連結されており、このコレクタ端子に第１電流（ｉｄ１）が入力される第３トランジスタ（Ｑ３）と、
エミッタ端子が前記第１トランジスタ（Ｑ１）のコレクタ端子に連結された第４トランジスタ（Ｑ４）と、
エミッタ端子とベース端子が前記第４トランジスタ（Ｑ４）のエミッタ端子とベース端子にそれぞれ連結され、コレクタ端子から前記第１加減器に第４電流（ｉｄ４）を出力する第５トランジスタ（Ｑ５）と、
ベース端子が前記第４トランジスタ（Ｑ４）のコレクタ端子に連結され、エミッタ端子が前記第４トランジスタ（Ｑ４）及び前記第５トランジスタ（Ｑ５）のベース端子に連結され、コレクタ端子が接地された第６トランジスタ（Ｑ６）と、
コレクタ端子が前記第４トランジスタ（Ｑ４）のコレクタ端子と前記第６トランジスタ（Ｑ６）のベース端子に連結されており、このコレクタ端子に第２電流（ｉｄ２）が入力され、ベース端子に比較電圧（Ｖr2）が入力され、エミッタ端子が前記第３トランジスタ（Ｑ３）のコレクタ端子に連結された第２トランジスタ（Ｑ２）と、
ベース端子とエミッタ端子が前記第３トランジスタ（Ｑ３）のベース端子とエミッタ端子にそれぞれ連結され、コレクタ端子が前記第５トランジスタ（Ｑ５）のコレクタ端子と前記第１加減器に連結された第７トランジスタ（Ｑ７）と、
ベース端子とエミッタ端子が前記第７トランジスタ（Ｑ７）のベース端子とエミッタ端子にそれぞれ連結され、コレクタ端子がベース端子に連結された第８トランジスタ（Ｑ８）と、
エミッタ端子が前記第５トランジスタ（Ｑ５）のエミッタ端子に連結され、コレクタ端子が前記第８トランジスタ（Ｑ８）のコレクタ端子に連結された第９トランジスタ（Ｑ９）と、
ベース端子とエミッタ端子が前記第９トランジスタ（Ｑ９）のベース端子とエミッタ端子にそれぞれ連結された第１０トランジスタ（Ｑ１０）と、
エミッタ端子が前記第９トランジスタ（Ｑ９）及び前記第１０トランジスタ（
Ｑ１０）のベース端子に連結され、ベース端子が前記第１０トランジスタ（Ｑ１０）のコレクタ端子に連結され、コレクタ端子が接地された第１１トランジスタ（Ｑ１１）と、
その一端が前記第１０トランジスタ（Ｑ１０）のコレクタ端子と前記第１１トランジスタ（Ｑ１１）のベース端子に連結され、他端が前記第８トランジスタ（
Ｑ８）のエミッタ端子に連結された抵抗（Ｒd）と
からなることを特徴とする請求項１に記載の電子式安定器の連続フィードバック制御システム。
【請求項４】
前記第１抵抗（Ｒ１）は、放電保持周期後、ディミング周期（第４周期)で電流が増加する傾きを決定し、前記第１抵抗（Ｒ１）が大きいほど電流増加の傾きが緩やかになることを特徴とする請求項３に記載の電子式安定器の連続フィードバック制御システム。
【請求項５】
第４周期で、第３電流（ｉｄ３）は比例的に増加し、第２電流（ｉｄ２）は比例的に減少することを特徴とする請求項３又は請求項４に記載の電子式安定器の連続フィードバック制御システム。
【請求項６】
第４周期で、第３電流（iｄ３）が第１電流（iｄ１）と同一になると、各電流間には次の関係：
ディミング制御器の出力信号iｄ＝iｄ４＝iｄ３＝iｄ１、iｄ２＝０
が成立することを特徴とする請求項３叉は請求項４に記載の電子式安定器の連続フィードバック制御システム。
【発明の詳細な説明】
【０００１】
【発明の属する技術分野】
本発明は電子式安定器（ballast）の連続フィードバック制御システムとその制御方法に関し、より詳しくは、予熱→放電→放電保持→ディミング（dimming）が連続的に動作するようにする電子式安定器の連続フィードバック制御システムとその制御方法に関する。
【０００２】
【従来の技術】
一般に、電子式安定器のフィードバック制御システムは多くの利点を提供する。不規則的なランプロードの特性に対しても安定的に制御することができ、省エネルギーやランプの寿命延長などに大きい効果を得られる。
【０００３】
連続制御フィードバックシステムを実現するということは、ランプの特性変化を強制制御を通じて、予熱制御からディミング制御に至るまで総体的に実現するという意味である。このような連続制御システムは、ランプの特性に合う適切な制御が可能になり、例えば、ランプの点灯前の状態でのフィードバック予熱制御により入力電圧の変動、または予熱時に変化する負荷の変動を最適制御できるという長所を持つ。
【０００４】
また、放電モード進入時に急激に変化するランプの負荷変動をプログラムされた量にて電力制御することができ、これと共に、このような制御を一般放電モードに進入させて放電保持区間を十分に維持した後に、外部ディミング素子により設定されたディミング点へフィードバック・ディミング制御できるように構成することは安定器を有するシステムにおいて一番望ましい制御方法である。
【０００５】
即ち、ランプの予熱→放電→放電保持→ディミングの動作を連続制御することにより、蛍光燈システムの最適な制御をすることができる。
【０００６】
ここで、ランプ寿命延長に大きな効果のある予熱動作は、ランプが放電時にストレスを受けないようにランプ・フィラメントを適正な温度にヒーティングする動作を言い、電気的にはランプに流す電流を制限的に供給することにより行われる。また、周囲環境の明るさによりランプの明るさを自動調節するディミング動作は電力の効率を極大化させることができる。
【０００７】
図９は、従来の電子式安定器のフィードバック制御システムを示すブロック図である。同図に基づいて、従来の電子式安定器のフィードバック制御システムの動作について説明する。
【０００８】
ランプ１１に出力する電流を制御する電子式安定器１２が消費する電流ｉｆｂと直流リンク（DC link）電圧Ｅをフィードバックして掛算器（multiplier）１３で合成し、掛算器１３の出力信号を抵抗ブロックＲｍｏを通じて電圧Ｖｍｏにて出力して第１加減器１５で、電子式安定器１２の入力電力を決定する、基準電圧発生部１４から出力される基準電圧Ｖrefと加減する。
【０００９】
第１加減器１５から出力される加減された電圧Ｖerrはトランスコンダクタンス（transconductance）Ｇｍを有するエラーアンプ１６により電流Ｉinに増幅され、増幅された電流ＩinはコンデンサＣで積分されて電圧Ｖinになる。
【００１０】
電圧Ｖinは電圧制御電流源ＶＣＣＳ（Voltage Controlled Current Source）１７を経て電流Ｉ1に換算されるが、この電流Ｉ1は電子式安定器１２の直流リンク電圧Ｅでフィードフォーワード（feedforward）された電流Ｉｅと基準電流Ｉrefと第２加減器１８で加減される。
【００１１】
この加減による電流ｉtはオシレータ／出力ドライバ（oscillator & output driver）１９のコンデンサＣｔに充電されて電子式安定器１２の制御周波数ｆ１を決定する。
【００１２】
この制御周波数ｆ１は電子式安定器１２の入力電力を決定し、決定された入力電力は電流ｉｆｂに比例する様になってフィードバック制御が行われる。
【００１３】
【発明が解決しようとする課題】
しかしながら、前記した従来の電子式安定器をフィードバック制御するシステムはランプを放電させた後、放電を保持する制御は可能であるが、ランプを予熱させ、電力の効率を高くするディミング制御には適用することが困難であった。
【００１４】
本発明の目的は、ランプの予熱→放電→放電保持→ディミングのための周波数制御を含む全過程で連続的なフィードバック制御をし、より安定的に最適の制御をすることができる電子式安定器の連続フィードバック制御システムとその制御方法を提供することにある。
【００１５】
【課題を解決するための手段】
本発明に係る電子式安定器の連続フィードバック制御システムは、制御の対象であるランプと、該ランプの予熱→放電→放電保持→ディミングを制御するための信号と連続的なフィードバック制御のための信号を出力する電子式安定器と、該電子式安定器から出力された信号の積に比例する値を出力する掛算器と、前記ランプの各周期に応じて時間に比例する信号を出力する時間制御器と、該時間制御器の信号を受けて、前記ランプの初期予熱周期と放電周期に必要な信号を出力するソフトスタート制御器と、前記時間制御器の信号を受けて、周囲環境の明るさに応じて前記ランプの明るさを自動調節するための信号を出力するディミング制御器と、前記掛算器と前記ソフトスタート制御器と前記ディミング制御器の出力信号を加算又は減算して出力する第１加減器と、フィードバック制御において前記電子式安定器の入力電力を決定する基準になる電圧を出力する基準電圧発生部と、前記第１加減器から出力された後、抵抗ブロックを経て入力される信号と前記基準電圧発生部の出力信号とを加算又は減算して出力する第２加減器と、該第２加減器の出力信号を増幅して出力するエラーアンプと、該エラーアンプから出力された信号と前記電子式安定器から出力されて抵抗ブロックを経たフィードバック信号を入力として受けて、前記ランプを制御するための周波数を決定して前記電子式安定器に出力する制御ブロックとからなることを特徴とする。
【００１６】
また、本発明に係る電子式安定器の連続フィードバック制御システムの制御方法は、第１周期の間、時間制御器によりソフトスタート制御器の出力信号が増加して掛算器の出力信号が減少し、これにより電子式安定器が消費する電流が減少する予熱段階と、該予熱段階後、第２周期の間、ソフトスタート制御器の出力信号が（−）の傾きにて減少する放電段階と、該放電段階後、第３周期の間、ソフトスタート制御器の出力信号が零になるようにして、電子式安定器の消費電流を最大にする放電保持段階と、該放電保持段階後、第４周期の間、ディミング制御器の出力信号を（＋）の傾きにて増加させ、掛算器の出力信号を減少させ、第５周期の間にはディミングモードに合う消費電力を（−）の傾きにて減少させるように、制御周波数が制御されるディミング段階とからなることを特徴とする。
【００１７】
【発明の実施の形態】
以下、添付図面に基づいて本発明の実施の形態について説明する。
【００１８】
図１は本発明による電子式安定器の連続フィードバック制御システムを示すブロック図である。
【００１９】
図１に示されているように、本発明による電子式安定器の連続フィードバック制御システムは、制御の対象であるランプ３１と、ランプ３１の予熱→放電→放電保持→ディミングのための信号と連続的なフィードバック制御のための信号Ｅ、ｉｆｂを出力する電子式安定器３２と、電子式安定器３２から出力された信号Ｅ、ｉｆｂの積に比例する電流信号ｉｍｏを出力する掛算器３３と、ランプ３１の各周期に応じて時間に比例する信号Ｖcsを出力する時間制御器３４と、時間制御器３４の信号Ｖcsを受けて、ランプ３１の初期予熱周期と放電周期に必要とする電流信号ｉｐを出力するソフトスタート制御器３５と、時間制御器３４の信号Ｖcsを受けて、周囲環境の明るさに応じてランプ３１の明るさを自動調節するための電流信号ｉｄを出力するディミング制御器３６と、掛算器３３の出力信号ｉｍｏとソフトスタート制御器３５の出力信号ｉｐとディミング制御器３６の出力信号ｉｄを加算又は減算して出力する第１加減器３７と、フィードバック制御において、電子式安定器３２の入力電力を決定する基準になる電圧Ｖrefを出力する基準電圧発生部３８と、第１加減器３７から出力された後、抵抗ブロックＲｍｏを経て入力された信号Ｖｍｏと基準電圧発生部３８の出力信号Ｖrefを加算又は減算して出力する第２加減器３９と、第２加減器３９の出力信号Ｖerrを増幅して出力するエラーアンプ４０と、エラーアンプ４０から出力された信号Ｉinと電子式安定器３２から出力されて抵抗ブロック１／ＲＬを経たフィードバック信号Ｉｅを入力として受けて、ランプ３１を制御するための周波数ｆ１を決定して電子式安定器３２に出力する制御ブロック５０とからなっている。
【００２０】
図２は本発明による電子式安定器の連続フィードバック制御システムの制御ブロック５０の構成を示す図である。
【００２１】
図２に示されているように、制御ブロック５０は、エラーアンプ４０から出力された電流Ｉinを積分器１／ＳＣで積分して電圧に変えた信号を入力として受けて、電流に変換して出力するＶＣＣＳ５１と、ＶＣＣＳ５１の出力信号ｉ1と、基準電流Ｉref（Rt）と、電子式安定器３２から出力されて抵抗ブロック１／ＲＬを経た信号Ｉｅを加算又は減算して出力する第３加減器５２と、第３加減器５２から入力される信号ｉｔが内部と連結されたコンデンサＣｔにチャージされて電子式安定器３２に出力する制御周波数ｆ１を決定するオシレータ／出力ドライバ５３とから構成される。
【００２２】
図３は本発明による電子式安定器の連続フィードバック制御システムのディミング制御器３６の詳細回路図である。
【００２３】
図３に示されているように、ディミング制御器３６は、第１トランジスタＱ１〜第１１トランジスタＱ１１と、第１抵抗Ｒ１と、抵抗Ｒｄとから構成される。
【００２４】
第１トランジスタＱ１は、ベース端子に時間制御器３４の出力Ｖcsが入力され、コレクタ端子に電流ｉｄ３が入力される。第１抵抗Ｒ１は、第１トランジスタＱ１のエミッタ端子にその一端が連結される。第３トランジスタＱ３は、コレクタ端子が前記第１抵抗Ｒ１の他端に連結されており、このコレクタ端子に電流ｉｄ１が入力される。第４トランジスタＱ４は、エミッタ端子が第１トランジスタＱ１のコレクタ端子に連結される。第５トランジスタＱ５は、エミッタ端子とベース端子がそれぞれ第４トランジスタＱ４のエミッタ端子とベース端子に連結され、コレクタ端子から外部に有る第１加減器３７に電流ｉｄ４（＝ｉｄ）を出力する。第６トランジスタＱ６は、ベース端子が第４トランジスタＱ４のコレクタ端子に連結され、エミッタ端子が第４トランジスタＱ４のベース端子と第５トランジスタＱ５のベース端子に連結され、コレクタ端子が接地されている。
【００２５】
第２トランジスタＱ２は、コレクタ端子が第４トランジスタＱ４のコレクタ端子と第６トランジスタＱ６のベース端子に連結されており、このコレクタ端子に電流ｉｄ２が入力され、ベース端子に比較電圧Ｖr2が連結され、エミッタ端子が第３トランジスタＱ３のコレクタ端子に連結されている。第７トランジスタＱ７は、ベース端子とエミッタ端子がそれぞれ第３トランジスタＱ３のベース端子とエミッタ端子に連結され、コレクタ端子が第５トランジスタＱ５のコレクタ端子と第１加減器３７に連結されている。第８トランジスタＱ８は、ベース端子とエミッタ端子がそれぞれ第７トランジスタＱ７のベース端子とエミッタ端子に連結され、コレクタ端子がベース端子に連結されている。第９トランジスタＱ９は、エミッタ端子が第５トランジスタＱ５のエミッタ端子に連結され、コレクタ端子が第８トランジスタＱ８のコレクタ端子に連結されている。第１０トランジスタＱ１０は、ベース端子とエミッタ端子がそれぞれ第９トランジスタＱ９のベース端子とエミッタ端子に連結されている。第１１トランジスタＱ１１は、エミッタ端子が第９トランジスタＱ９及び第１０トランジスタＱ１０のベース端子に連結され、ベース端子が第１０トランジスタＱ１０のコレクタ端子に連結され、コレクタ端子が接地されている。抵抗Ｒｄは、その一端が第１０トランジスタＱ１０のコレクタ端子と第１１トランジスタＱ１１のベース端子に連結され、他端が第８トランジスタＱ８のエミッタ端子に連結されている。
【００２６】
次に、前記構成の本発明の実施の形態の動作について図面を参照にして説明する。
【００２７】
まず、電子式安定器３２について説明する。図４は、本発明で使用する電子式安定器３２を示す図である。
【００２８】
図４に示されているように、電子式安定器３２はＬＣ共振形コンバータであって、スイッチング周波数がＬＣ（ＬrとＣ−Ｃ１,Ｃ２,Ｃ３,Ｃ４,Ｃ５の複合）共振周波数より高く制御されると、スイッチング周波数が入力電力に反比例する特性を有する。
【００２９】
従って、放電保持のための100%入力電力に対する周波数ｆ０と比べて、予熱およびディミング時のスイッチング周波数ｆｐ，ｆｄは相対的に高くなければならない。
【００３０】
この実施の形態では、フィードバック制御に基づいて初期予熱と放電および放電保持とディミングのための連続的な周波数の提供を受けてランプを制御する。
【００３１】
図１に示された電子式安定器の連続フィードバック制御システムの動作は次のとおりである。
【００３２】
制御の対象であるランプ３１に出力する電流を制御する電子式安定器３２が消費する電流ｉｆｂと直流リンク電圧Ｅをフィードバックして受ける掛算器３３は、入力された２つの値Ｅ、ｉｆｂの積に比例する値ｉｍｏ（＝Ｋｍ＊ｉｆｂ＊Ｅ）を第１加減器３７に出力する。
【００３３】
ソフトスタート制御器３５は時間制御器３４から信号Ｖcsを受けて、ランプ３１の初期予熱周期と放電周期に必要な信号ｉｐを第１加減器３７に出力する。また、ディミング制御器３６も時間制御器３４から信号Ｖcsを受けて、周囲環境の明るさによりランプ３１の明るさを自動調節する信号ｉｄを第１加減器３７に出力する。なお、信号Ｖcsは、時間制御器３４により、予熱周期の間は、ソフトスタート制御器３５だけに入力され、ディミング周期の間は、ディミング制御器３６だけに入力される。また、Ｖcsは、ランプの点灯時間に比例する信号で、現在のランプの状態が予熱、放電、放電維持、ディミングのうちのどの段階にあるかに従ってその段階に定まっている電圧が出力される。
【００３４】
第１加減器３７は掛算器３３の出力信号ｉｍｏとソフトスタート制御器３５の出力信号ｉｐとディミング制御器３６の出力信号ｉｄを加算した値ｉｍｏ１（＝ｉｍｏ＋ｉｐ＋ｉｄ）を、抵抗ブロックＲｍｏを経て第２加減器３９に送る。
【００３５】
第２加減器３９は、基準電圧発生部３８から出力された電子式安定器３２の入力電力を決定する電圧Ｖref から第１加減器３７から出力された後、抵抗ブロックＲｍｏを経て入力される信号Ｖｍｏを減算してエラーアンプ４０に出力する。
【００３６】
ここで、第２加減器３９に入力される電圧Ｖｍｏは基準電圧Ｖrefと同一になるように、電子式安定器３２が消費する電流ｉｆｂと直流リンク電圧Ｅの変化により合わせられるが、もし直流リンク電圧Ｅが一定であると、第２加減器３９に入力される電圧Ｖｍｏはソフトスタート制御器３５の出力信号ｉｐとディミング制御器３６の出力信号ｉｄにより決定される。
【００３７】
トランスコンダクタンスＧｍを有するエラーアンプ４０は第２加減器３９の出力信号Ｖerr（＝Ｖref−Ｖｍｏ）を電流Ｉinに増幅して制御ブロック５０に送る。
【００３８】
制御ブロック５０は、エラーアンプ４０から出力された信号Ｉinと電子式安定器３２から出力されて抵抗ブロック１／ＲＬを経たフィードバック信号Ｉｅを入力として受けて、ランプ３１の予熱→放電→放電保持→ディミングの動作を連続制御するための周波数ｆ１を決定して、電子式安定器３２に出力する。
【００３９】
図２に示された本発明による電子式安定器の連続フィードバック制御ブロック５０の動作は次のとおりである。
【００４０】
ＶＣＣＳ５１は、エラーアンプ４０から出力された電流Ｉinを積分器１／ＳＣで積分して電圧に変えた信号Ｖinを入力として受けて、電流ｉ1に変換して第３加減器５２に出力する。
【００４１】
第３加減器５２は、ＶＣＣＳ５１の出力信号ｉ1と基準電流Ｉref（Ｒt）と電子式安定器３２から出力されて抵抗ブロック１／ＲＬを経た信号（言い換えれば、直流リンク電圧からフィードフォワードされた電流）Ｉｅを加算又は減算して、その結果値ｉｔ（＝−ｉ１＋Ｉref＋Ｉｅ）をオシレータ／出力ドライバ５３に出力する。
【００４２】
オシレータ／出力ドライバ５３は第３加減器５２から入力された信号ｉtを内部と連結されたコンデンサＣｔにチャージして電子式安定器３２の入力電圧を決定し、決定された入力電力は電子式安定器３２が消費する電流ｉｆｂに比例するようになりフィードバック制御されることになる。
【００４３】
図５は、ソフトスタート制御器３５とディミング制御器３６の電流制御を示すグラフであり、図６はこの電流制御による電力変化を示すグラフである。その過程を段階的に説明すると次のとおりである。
【００４４】
［第１段階］：予熱
最初の予熱周期t0〜t1（第１周期Ｔ１）では、時間制御器３４によりソフトスタート制御器３５の出力信号ｉｐが増加して掛算器３３の出力信号ｉｍｏが減少し、これにより電子式安定器３２が消費する電流ｉｆｂが減少する。
【００４５】
電子式安定器３２が消費する電流ｉｆｂの減少によりランプ３１は放電されない状態で駆動されて予熱動作を行う。これは電子式安定器３２の消費電力Ｗｐを減少させるように制御周波数ｆ１が制御されることを意味する。
【００４６】
［第２段階］：放電
一定時間の予熱終了後、放電周期t1〜t2（第２周期Ｔ２）では、ソフトスタート制御器３５の出力信号ｉｐが（−）傾きで減少するように制御される。
【００４７】
従って、電子式安定器３２の電力は（＋）傾きで増加する様になって放電に必要な電力になるように電子式安定器３２が消費する電流ｉｆｂを増加させて電子式安定器３２は放電を開始する。
【００４８】
［第３段階］：放電保持
放電開始後、放電を保持する放電保持周期t2〜t3（第３周期Ｔ３）では、ソフトスタート制御器３５の出力信号ｉｐが零になるようにすると、予熱とソフトスタートが完全に終了されたことになり、電子式安定器３２が消費する電流ｉｆｂが最大に増加してフルパワーモード、即ち放電保持区間になる。
【００４９】
［第４段階］：ディミング
電子式安定器３２は放電保持周期後、ディミング周期（第４周期Ｔ４と第５周期Ｔ５）になるが、まず、t3〜t4（第４周期Ｔ４）では、時間制御器３４によりディミング制御器３６が動作され、ディミング制御器３６の出力信号ｉｄを（＋）傾きで増加させる様になると再び掛算器３３の出力信号ｉｍｏが減少し、それにより電子式安定器３２が消費する電流ｉｆｂが減少してディミングモードに合う消費電力Ｗｄを（−）傾きで減少させるように制御周波数ｆ１が制御されて、ｔ４以後（第５周期Ｔ５）に、所定のディミングモードに入るようになる。
【００５０】
このように、予熱→放電→放電保持→ディミングの動作について連続的なフィードバック制御がなされて、電子式安定器３２を最適に制御することができる。
【００５１】
図７は、図３に示したディミング制御器３６の電流の流れを示すグラフである。
【００５２】
図３に示したディミング制御器３６においては、抵抗Ｒｄにより電流ｉｄ１が決定され、時間制御器３４の電位Ｖcsが時間に比例して大きくなって比較電圧Ｖr2に達すると、第１トランジスタＱ１がターンオンし始めるが、この時が時間的にはｔ３に該当する。
【００５３】
この時刻ｔ３以後、電流ｉｄ３は比例的に増加し、電流ｉｄ２は比例的に減少する。また、時刻ｔ４以後（第４周期以後、即ち第５周期）、電流ｉｄ３が電流ｉｄ１と同一になると、ディミング制御器３６の出力信号ｉｄ＝ｉｄ４＝ｉｄ３＝ｉｄ１になり、ｉｄ２＝０になる。
【００５４】
第１抵抗Ｒ１はディミング周期（第４周期と第５周期）内の時間ｔ３からｔ４まで（第４周期）の間で電流が増加する傾きを決定する抵抗であり、この第１抵抗Ｒ１が大きくなるほど電流増加の傾きが緩やかになる。
【００５５】
図８は図２に示されたオシレータ／出力ドライバ５３内部の信号を示す波形図である。
【００５６】
第３加減器５２から入力された信号ｉｔと制御周波数ｆ１の間には、ｉｔ∝ｆ１の関係があり、コンデンサＣｔで発生する鋸波の大きさを△Ｖとすると次のように表わされる。
【００５７】
【数１】
２ ＊ ｆ１ ≒ ｉｔ／（Ｃｔ * △Ｖ） ………（１）
電子式安定器３２を制御する周波数ｆ１はデュアル（dual）出力の周波数であって、鋸波周波数の１／２である。
【００５８】
ＶctはコンデンサＣｔでの電圧波形であり、Ｖr1はオシレータ／出力ドライバ５３の内部比較電位である。
【００５９】
内部電位Ｖrlから見ると、比較器（不図示）の出力はＶcomにて示し、この比較器の出力Ｖcomは内部Ｄフリップフロップ（不図示）により第１Ｄフリップフロップ（不図示）、第２Ｄフリップフロップ（不図示）にて分周される。
【００６０】
前記分周された第１Ｄフリップフロップ（不図示）、第２Ｄフリップフロップ（不図示）は最終的に電子式安定器３２を駆動する出力１（ＯＵＴ１）と出力２（ＯＵＴ２）にて出力されるが、出力１（ＯＵＴ１）と出力２（ＯＵＴ２）の周波数は制御周波数であり、交互に出力する。
【００６１】
なお、本発明は、電子式安定器を使用する全ての製品への適用が可能である。
【００６２】
【発明の効果】
以上詳細に説明したように、本発明によれば、ランプの予熱→放電→放電保持→ディミングのための周波数制御を含む全過程で連続的にフィードバック制御をし、より安定的に最適の制御をすることができ、省エネルギーやランプの寿命延長などに大きい効果がある。
【図面の簡単な説明】
【図１】本発明による電子式安定器の連続フィードバック制御システムを示すブロック図である。
【図２】本発明による電子式安定器の連続フィードバック制御システムの制御ブロック５０を示す図である。
【図３】本発明による電子式安定器の連続フィードバック制御システムのディミング制御器３６の詳細回路図である。
【図４】本発明に使用される電子式安定器３２を示す図である。
【図５】本発明による電子式安定器の連続フィードバック制御システムのソフトスタート制御器３５とディミング制御器３６の電流制御を示すグラフである。
【図６】本発明による電子式安定器の連続フィードバック制御システムのソフトスタート制御器３５とディミング制御器３６の電流制御による電力変化を示すグラフである。
【図７】本発明による電子式安定器の連続フィードバック制御システムのディミング制御器３６の電流の流れを示すグラフである。
【図８】図２に示されたオシレータ／出力ドライバ５３の内部信号を示す波形図である。
【図９】従来の電子式安定器のフィードバック制御システムを示すブロック図である。
【符号の説明】
３１  ランプ
３２  電子式安定器
３３  掛算器
３４  時間制御器
３５  ソフトスタート制御器
３６  ディミング制御器
３７  第１加減器
３９  第２加減器
３８  基準電圧発生部
４０  エラーアンプ
５０  制御ブロック
５１  ＶＣＣＳ
５２  第３加減器
５３  オシレータ／出力ドライバ
Ｑ１〜Ｑ１１  トランジスタ
【図１】
0003892505.tif 000002
【図２】
0003892505.tif 000003
【図３】
0003892505.tif 000004
【図４】
0003892505.tif 000005
【図５】
0003892505.tif 000006
【図６】
0003892505.tif 000007
【図７】
0003892505.tif 000008
【図８】
0003892505.tif 000009
【図９】
0003892505.tif 000010